(57)【要約】【課題】建物の室内において電気機器及び空調機器の設置位置を変更する場合、その設置位置に合わせて電気配線の接続部の指向方向や配管の取出し方向を容易に変更することができる中継装置を提供する。【解決手段】建物の設置面２１に固定される台座２２と、その台座２２上に設置された回転支持台３０とにより、中継装置を構成する。回転支持台３０には、電気配線の接続部３９を支持するとともに、配管の通過部４１を設ける。回転支持台３０を台座２２に対して設置面２１と平行な面内において位置調節可能に載置する。【選択図】図１
2011231494.tif 000002
【特許請求の範囲】
【請求項１】
建物の設置面に固定される支持台を有し、その支持台には電気配線の接続部を支持するための回転支持部を設けるとともに、配管の通過部を形成し、前記回転支持部を前記設置面に対してその設置面と平行な面内において位置調節可能にして、前記接続部の指向方向を変更できるように構成したことを特徴とする中継装置。
【請求項２】
前記支持台を、
建物の設置面に固定される台座と、
その台座上に設置され電気配線の接続部を支持する回転支持台とにより構成し、
前記回転支持台を前記台座に対して、前記設置面と平行な面内において位置調節可能にしたことを特徴とする請求項１に記載の中継装置。
【請求項３】
前記配管の通過部を前記台座及び回転支持台に形成したことを特徴とする請求項２に記載の中継装置。
【請求項４】
前記台座は、前記回転支持台を載置する載置部と、脚部と、その脚部の下端に位置する固定部とを有し、その固定部が建物の設置面に固定されることを特徴とする請求項２または３に記載の中継装置。
【請求項５】
前記台座は、板金よりなり、その展開形状が四角形であることを特徴とする請求項４に記載の中継装置。
【請求項６】
前記電気配線の接続部は、給電用のコンセントと、信号線用のコネクタとよりなることを特徴とする請求項１〜５のうちのいずれか一項に記載の中継装置。
【請求項７】
前記回転支持台は、１つの軸線を中心に回転されることにより位置調節されるように構成され、前記配管の通過部は、前記軸線を中心にした円形の領域の複数箇所に形成されたことを特徴とする請求項２〜６のうちのいずれか一項に記載の中継装置。
【請求項８】
前記台座と電気配線の接続部との間には、接続部の高さを調節するための高さ調節手段を設けたことを特徴とする請求項２〜７のうちのいずれか一項に記載の中継装置。
【発明の詳細な説明】
【技術分野】
【０００１】
この発明は、建物の室内の空調機器に対する冷温水配管及び電気機器に対する電気配線を中継するための中継装置に関するものである。
【背景技術】
【０００２】
従来、この種の配管または配線の中継のための構成としては、例えば特許文献１及び特許文献２に開示される構成が提案されている。
特許文献１に記載の従来構成においては、建物の床下のスラブ上に平板状の台座が固定され、その台座上の支軸には上面を開放した函体が取り付けられている。函体の上部外周にはフランジ状の床受座が突設され、函体の上端部が床材の開口に嵌挿された状態で、この床受座が床材の下面に当接される。函体内には電気コンセントなどが設けられている。函体の上面開放部には蓋パネルが着脱可能に取り付けられている。
【０００３】
また、特許文献２に記載の従来構成においては、建物の床下や壁にボックス本体が埋め込まれ、そのボックス本体の内部は仕切板によって第１室と第２室とに二分割されている。第１室の上部開口縁には蓋板が開閉可能に取り付けられ、その蓋板の裏側には複数の電気コンセントが設けられている。第２室内には厨房家具などの機器から延びる給水管、給湯管、ガス管などを接続するための給水コンセント、給湯コンセント、ガスコンセントなどが設けられている。
【先行技術文献】
【特許文献】
【０００４】
【特許文献１】実開昭６４−７６４１号公報
【特許文献２】実開平６−４８３３２号公報
【発明の概要】
【発明が解決しようとする課題】
【０００５】
ところが、これらの従来構成においては、電気コンセントを収容した函体またはボックス本体が建物の床下などに固定状態で取り付けられている。このため、建物の室内において、例えば、部屋の模様替えに伴う電気機器や室内空調機器の配置替えのためにそれらの機器の設置位置を変更する場合、その設置位置に合わせて電気コンセントの指向方向や空調機器に接続される冷温水配管の取出し方向を変更することができない。従って、従来構成においては、室内における電気配線や冷温水配管の取り回しを適切に行うことができないという問題があった。なお、特許文献２においては、電気コンセントが使用位置と格納位置との間において回転できるようになっているが、使用位置における指向方向は変更できない。
【０００６】
この発明は、このような従来の技術に存在する問題点に着目してなされたものである。その目的は、建物の室内において電気機器や室内空調機器の設置位置を変更する場合、その設置位置に合わせて電気配線や冷温水配管の取り回しを適切に行なうことができる中継装置を提供することにある。
【課題を解決するための手段】
【０００７】
上記の目的を達成するために、この発明は、建物の設置面に固定される支持台を有し、その支持台には電気配線の接続部を支持するための回転支持部を設けるとともに、配管の通過部を形成し、前記回転支持部を前記設置面に対してその設置面と平行な面内において位置調節可能にして、前記接続部の指向方向を変更できるように構成したことを特徴とする。
【０００８】
従って、この発明の中継装置においては、建物の室内で空調機器などの機器の設置位置を変更する場合、回転支持台を台座に対して、設置面と平行な面内において位置調節することにより、冷温水配管の床下から床上への取出しや電気配線の接続部の指向方向を機器の設置位置に合わせて容易に変更することができる。
【０００９】
前記の構成において、前記支持台を、建物の設置面に固定される台座と、その台座上に設置され、電気配線の接続部を支持する回転支持台とにより構成し、前記回転支持台を前記台座に対して前記設置面と平行な面内において位置調節可能にすることが好ましい。
【００１０】
前記の構成において、前記配管の通過部を前記台座及び回転支持台に形成するとよい。このようにすれば、床下の配管の床上への取出しを容易に行なうことができる。
前記の構成において、前記台座は、前記回転支持台を載置する載置部と、脚部と、その脚部の下端に位置する固定部とを有し、その固定部が建物の設置面に固定されることが望ましい。
【００１１】
前記の構成において、前記台座は、板金よりなり、その展開形状が四角形であるとよい。
前記の構成において、前記電気配線の接続部は、給電用のコンセントと、信号線用のコネクタとよりなることが好ましい。
【００１２】
前記の構成において、前記回転支持台は、１つの軸線を中心に回転されることにより位置調節されるように構成され、前記配管の通過部は、前記軸線を中心にした円形の領域の複数箇所に形成されたことが好ましい。
【００１３】
前記の構成において、前記台座と電気配線の接続部との間には、接続部の高さを調節するための高さ調節手段を設けるとよい。
【発明の効果】
【００１４】
以上のように、この発明によれば、建物の室内において室内空調機器や電気機器の設置位置を変更する場合、その設置位置に合わせて電気配線の接続部の指向方向や冷温水配管の床下から床上への取出し方向を容易に変更することができて、電気機器に対する電気配線や室内空調機器に対する冷温水配管の取り回しを適切に行うことができるという効果を発揮する。
【図面の簡単な説明】
【００１５】
【図１】第１実施形態の中継装置を示す断面図。
【図２】カプラを分離した状態を示す一部断面図。
【図３】図１の中継装置の分解斜視図。
【図４】床面の開口部の蓋の構造を示す斜視図。
【図５】第２実施形態の中継装置を示す断面図。
【図６】図５の中継装置の分解斜視図。
【図７】第３実施形態の中継装置を示す断面図。
【図８】図７の中継装置の分解斜視図。
【図９】第４実施形態を示す中継装置の分解斜視図。
【図１０】第５実施形態の中継装置における回転支持台の平面図。
【図１１】第６実施形態の中継装置における回転支持台の平面図。
【図１２】第７実施形態の中継装置における回転支持台の平面図。
【図１３】第８実施形態の中継装置における台座の斜視図。
【図１４】図１３の台座の製造過程を説明する板材の平面図。
【図１５】第９実施形態の中継装置を示す断面図。
【図１６】図１５の中継装置の斜視図。
【発明を実施するための形態】
【００１６】
（第１実施形態）
以下に、この発明を具体化した中継装置の第１実施形態を、図１〜図４に従って説明する。
【００１７】
図１及び図３に示すように、中継装置は、建物において床下のスラブよりなる設置面２１に設置される支持台２０を備え、この支持台２０は、台座２２と、回転支持部としての回転支持台３０とを備えている。また、台座２２は、前記設置面２１に固定されている。この台座２２は板金により形成されている。台座２２は、平面正八角形状の載置部２２ｃと、その載置部２２ｃのひとつおきの辺から下方へ向かって折り曲げられた４つの脚部２２ｂと、その脚部２２ｂの下端から外方へ折り曲げられた固定部２２ａとから構成されている。台座２２の載置部２２ｃには台座２２の外形形状と相似の透孔２４が形成されている。
【００１８】
前記台座２２の各固定部２２ａには、ボルト挿通孔２５がそれぞれ形成されている。台座２２の各脚部２２ｂには、複数（実施形態では３つ）の高さ調節手段としての第１ネジ孔２６が上下方向に間隔をおいて形成されている。台座２２の載置部２２ｃには、複数（実施形態では８つ）の第２ネジ孔２７が平面正八角形状の各辺と対応する位置に形成されている。これらの第１ネジ孔２６及び第２ネジ孔２７は、図１の１点鎖線の円内に例示するように、バーリング加工された部分のタップ穴によって形成されている。そして、前記設置面２１上に植設されて上方へ突設された複数のボルト２８に対して各固定部２２ａのボルト挿通孔２５が挿通された状態で、各ボルト２８にナット２９が螺合されることにより、台座２２が設置面２１上に固定される。
【００１９】
前記台座２２の載置部２２ｃには、前記回転支持台３０が設置面２１と平行な面内において回転位置変更可能に載置されている。この回転支持台３０は板金により形成されている。回転支持台３０は、平面正八角形状の支持部３０ｄと、その支持部３０ｄのひとつおきの辺から下方へ向かって折り曲げられた脚部３０ｃと、その脚部３０ｃの下端から外側に折り曲げられ、台座２２の載置部２２ｃに固定される固定部３０ｂと、その固定部３０ｂから下方へ向かって折り曲げられた位置決め部３０ａとから構成されている。
【００２０】
前記回転支持台３０の各位置決め部３０ａには、台座２２における各脚部２２ｂ上の複数の第１ネジ孔２６のいずれかに対して合致可能な第１ネジ挿通孔３１が形成されている。回転支持台３０の各固定部３０ｂには、台座２２における載置部２２ｃ上のひとつおきの第２ネジ孔２７に対して合致可能な第２ネジ挿通孔３２が形成されている。
【００２１】
そして、前記回転支持台３０を台座２２に対して高さ調節することにより、回転支持台３０の第１ネジ挿通孔３１が台座２２の第１ネジ孔２６のひとつに対して択一的に合致される。この状態で、合致した第１ネジ挿通孔３１を通して第１ネジ孔２６に高さ調節手段としての蝶ネジ３５が螺合されることにより、回転支持台３０が台座２２に対して所要の高さ位置に位置決めされている。従って、回転支持台３０の位置決め部３０ａが台座２２の脚部２２ｂと対応する位置に配置された状態で、回転支持台３０を、台座２２に対して台座２２の第１ネジ孔２６の数に相当する３つの高さ位置のいずれかに調節して位置決め固定することができる。
【００２２】
また、回転支持台３０を台座２２に対して台座２２の中心の仮想の垂直な回転軸線Ｌを中心に回転することにより、回転支持台３０の第２ネジ挿通孔３２が台座２２の第２ネジ孔２７に対して選択的に合致される。この状態で、蝶ネジ３８が、第２ネジ挿通孔３２を通して第２ネジ孔２７に螺合されることにより、回転支持台３０が台座２２に対して任意の回転位置に固定されている。従って、回転支持台３０を台座２２に対して、台座２２の第２ネジ孔２７の各位置に相当する８つの位置に回転して固定することができる。ただし、回転支持台３０の上下位置を調節するための第１ネジ孔２６は４箇所に形成されているため、回転支持台３０の上下位置調節はこの４箇所で行なわれる。
【００２３】
前記回転支持台３０における支持部３０ｄの上面には、電気配線の接続部３９がブラケット４０を介して外側上方に向かって傾斜した状態で支持されている。ブラケット４０は支持部３０ｄに溶着されている。この電気配線の接続部３９には、商用電力供給用のコンセント３９ａと、信号線，例えばＬＡＮ（ローカル・エリア・ネットワーク）などの信号線ケーブル用のコネクタ３９ｂとが設けられている。設置面２１上には給電線及び信号線よりなる電気配線としての床下配線４５が延長配置され、その床下配線４５が台座２２の開口２３、透孔２４及び回転支持台３０に形成した配線通過孔３７を通して、前記接続部３９のコンセント３９ａ及びコネクタ３９ｂに電気接続されている。
【００２４】
回転支持台３０の支持部３０ｄには、配管の通過部４１が前記垂直な回転軸線Ｌを中心にした環状の領域に沿うとともに複数箇所で円弧溝状に延びるように形成されている。
図１に示すように、前記建物の設置面２１上には一対の冷温水の床下配管（以下、単に床下配管という）４２が開口２３を通るように延長状態で配置され、その各床下配管４２の一部を構成する一対のエルボ４２ａが台座２２内において固定座４３を介して設置面２１上に固定されている。従って、前記開口２３は床下配管４２の通過部を構成する。各エルボ４２ａの立ち上がり端部には、カプラ片４４ａ，４４ｂよりなり、冷温水配管の一部を構成する止水機能付きカプラ４４が接続され、このカプラ４４は台座２２の透孔２４を介して回転支持台３０の配管通過部４１内に挿通されている。
【００２５】
前記建物において設置面２１の上方に間隔をおいて配置された室内の床板４６には円形の開口４７が形成されている。開口４７には円環状の開口枠４６ａが固定されている。この開口枠４６ａ内には開口蓋５２がその外周の取付枠４８において嵌着され、その取付枠４８内には蓋板４９がヒンジ部４９ａによって開閉回転可能に取り付けられている。蓋板４９のヒンジ部４９ａと反対側の周縁には、配線挿通部５０ａ及び配管挿通部５０ｂを有する補助蓋５０がヒンジ部５０ｄを介して開閉回転可能に取り付けられている。配線挿通部５０ａ及び配管挿通部５０ｂの内側上面にはスポンジよりなる閉鎖材５０ｃが貼り付けられている。
【００２６】
そして、前記室内の任意の位置に設置された電気機器から延びる給電線や信号線などの電気配線としての床上配線６１が、補助蓋５０の配線挿通部５０ａに挿通されて床板４６の下方に導かれる。この状態で、床上配線６１の端部に設けられたプラグ６２（信号線のプラグは図示していない）が回転支持台３０上の接続部３９のコンセント３９ａ及びコネクタ３９ｂに着脱可能に接続される。また、室内の任意の位置に設置された空調機器から延びる床上配管５１が、補助蓋５０の配管挿通部５０ｂに挿通されて床板４６の下方に導かれる。この状態で、床上配管５１の端部が回転支持台３０の配管通過部４１に挿通配置されたカプラ４４に対して着脱可能に接続される。なお、カプラ４４のカプラ片４４ａ，４４ｂはそれらの内部に分離時に閉鎖される止水機能付き弁（図示しない）を備え、図２に示す分離時にカプラ片４４ａ，４４ｂから漏水が生じないようになっている。
【００２７】
次に、前記のように構成された中継装置の機能を説明する。
さて、通常の状態においては、補助蓋５０が室内の電気機器及び空調機器の方を向くように蓋板４９の位置が設定され、床上配線６１及び床上配管５１が電気機器及び空調機器に向かって延びる。
【００２８】
この状態で、室内の電気機器及び空調機器の設置位置を変更する場合には、蓋板４９を開放させ、この状態で、開口４７を介して手作業で電気機器から延びる給電線や信号線などの床上配線６１のプラグ６２を回転支持台３０上の接続部３９のコンセント３９ａ及びコネクタ３９ｂから取り外す。それとともに、図２に示すように、室内の空調機器から延びる床上配管５１側のカプラ片４４ｂを、床下配管４２側のカプラ片４４ａから取り外してカプラ４４を分離する。次いで、床板４６の開口４７の開口枠４６ａ内において図示しないネジを外すことにより蓋板４９の固定を解除して、その蓋板４９の向きを変更し、補助蓋５０を位置変更された電気機器及び空調機器の方向に指向させ、その位置で前記ネジを締めて蓋板４９を固定する。
【００２９】
その後、回転支持台３０の各蝶ネジ３５，３８を外して、回転支持台３０を台座２２に対する固定状態から解除する。この状態で、回転支持台３０を台座２２に対して垂直な回転軸線Ｌを中心に回転させて、回転支持台３０上の電気配線の接続部３９が床板４６上における機器の設置位置側，すなわち補助蓋５０側を指向するように位置調節する。このとき、カプラ４４は、定位置を保持するが、配管の通過部４１内における相対位置が変更される。
【００３０】
次いで、回転支持台３０の位置決め部３０ａを台座２２の脚部２２ｂと対応配置させ、第１ネジ挿通孔３１に蝶ネジ３５を挿通して、各脚部２２ｂ上の任意の高さ位置の第１ネジ孔２６に対して蝶ネジ３５を螺合する。この螺合により、回転支持台３０を台座２２に対して高さ調節して、任意の高さ位置に位置決めすることができる。そして、この位置調節状態で、回転支持台３０の各固定部３０ｂ上において、第２ネジ孔２７に対して蝶ネジ３８を螺合することにより、回転支持台３０が台座２２に対して所定の調節位置に固定される。
【００３１】
この状態で、電気機器から延びる床上配線６１のプラグ６２などを、回転支持台３０上の接続部３９のコンセント３９ａ及びコネクタ３９ｂに接続し直す。このとき、接続部３９が電気機器の設置位置に指向するように位置調節されているため、接続部３９に対する床上配線６１のプラグ６２等の接続を無理なく簡単に行うことができる。また、空調機器から延びる床上配管５１側のカプラ片４４ｂを、回転支持台３０の床下配管４２側のカプラ片４４ａに接続する。この場合、前記台座２２に対する回転支持台３０の位置調節時に、カプラ４４が、回転支持台３０上の通過部４１に挿通された状態で、定位置に保持されているため、カプラ４４の結合作業を容易に行うことができる。
【００３２】
従って、この実施形態によれば、以下のような効果を得ることができる。
（１）  この中継装置においては、建物の室内で空調機器や電気機器の設置位置を変更する場合には、回転支持台３０を台座２２に対して、設置面２１と平行な面内において回転方向に位置調節することにより、電気配線の接続部３９の指向方向を機器の設置位置に合わせて変更することができる。一方、空調機器に接続される配管のカプラ４４は、回転支持台３０の通過部４１内を相対移動して、定位置を保持する。このため、床板４６上に引き出される床上配管５１は捩れたり、潰れたりすることなく、取出し方向を変更できる。よって、位置が変更された電気機器の床上配線６１や空調機器の床上配管５１を床上に無理なく引き出して中継装置の接続部３９に対して簡単に接続することができる。
【００３３】
（２）  この中継装置においては、台座２２に対して回転支持台３０を移動させても、空調機器に対する床下配管４２及びカプラ４４は、前記のように定位置に保持されている。このため、カプラ４４における床上配管５１の接続を容易に行うことができるばかりでなく、床板４６と回転支持台３０との間に適当な空間を確保しておくことにより、床上配管５１に無理な力が作用することを防止できて、床上配管５１が屈曲したり、大きく捩れたりすることを防止できる。
【００３４】
（３）  この中継装置においては、前記台座２２に脚部２２ｂが設けられるとともに、脚部２２ｂ間に開口２３が形成されている。従って、開口２３を通して床下配管４２や床下配線４５を台座２２と干渉することなく、建物の設置面２１に沿って無理なく延長できる。
【００３５】
（４）  この中継装置においては、台座２２の第１ネジ孔２６を選択することにより、回転支持台３０の高さを調節できる。このため、接続部３９の高さを適正に設定できて、プラグ６２やカプラ４４の接続などを容易に行なうことができる。
【００３６】
（５）  この中継装置においては、前記電気配線の接続部３９が、給電用のコンセント３９ａと、信号線用のコネクタ３９ｂとより構成されている。このため、給電用の配線と信号線用の配線とを１箇所の接続部３９においてコンパクトにまとめることができる。
【００３７】
（６）  この中継装置においては、前記回転支持台３０が、１つの軸線Ｌを中心に回転されることにより位置調節されるように構成され、前記配管の通過部４１が、軸線Ｌを中心にした円形の領域の複数箇所に形成されている。このため、台座２２に対する回転支持台３０の位置を配管のカプラ４４に邪魔されることなく、容易に変更することができる。
【００３８】
（７）  この中継装置においては、台座２２及び回転支持台３０が板金を折り曲げて構成されている。従って、部品点数が少なく、加工も容易であるため、製造コストを抑えることができる。
【００３９】
（第２実施形態）
次に、この発明を具体化した中継装置の第２実施形態を説明する。この第２実施形態以降の各実施形態及び変更例においては、第１実施形態と異なる部分を中心に説明する。
【００４０】
この第２実施形態では、図５及び図６に示すように、カプラ４４の通過部４１が複数の長孔を環状領域において列設して構成されたものである。
また、設置面２１上における回転支持台３０の回転軸線Ｌの位置において設置面２１に支持軸５３が立設されている。台座２２の載置部２２ｃの透孔２４内には架設部５４が形成され、その架設部５４の中央部には支持軸５３を挿通させるための挿通孔５５が形成されている。回転支持台３０の支持部３０ｄの中心には、支持軸５３を挿通させるための挿通孔５６が形成されている。そして、支持軸５３が台座２２及び回転支持台３０の挿通孔５５，５６が挿通された状態で、回転支持台３０が台座２２に対して支持軸５３を中心に回転可能に支持されている。なお、支持軸５３の先端ネジ部にナット５７が螺合されているが、このネジ部やナット５７は必ずしも必要ではない。
【００４１】
従って、この第２実施形態によれば、前記第１実施形態における（１）〜（７）に記載の効果に加えて、以下のような効果を得ることができる。
（８）  この中継装置においては、回転支持台３０が支持軸５３を中心に回転されるため、台座２２に対する回転支持台３０の回転による位置調節をさらに容易に行うことができる。
【００４２】
（第３実施形態）
次に、この発明を具体化した中継装置の第３実施形態を説明する。
この第３実施形態においては、図７及び図８に示すように、台座２２が平面円形状をなし、円環状の載置部２２ｃと、円筒状の脚部２２ｂと、載置部２２ｃと同様な円環状の固定部２２ａとから構成されている。台座２２の固定部２２ａの１８０度離れた２箇所には各一対のボルト挿通孔２５が形成されるとともに、載置部２２ｃには多数の第２ネジ孔２７が同一円周上で所定角度間隔おきに形成されている。そして、台座２２の固定部２２ａの下面に固定座５８がボルト挿通孔２５に挿通した複数のボルト２８及びナット２９により平行状態で固定され、この固定座５８が図示しないボルトなどの固定手段により建物の設置面２１に固定されている。
【００４３】
また、この実施形態では、回転支持台３０が、円板状の支持部３０ｄと、その支持部３０ｄの外周縁から下方へ折り曲げられた円筒状の脚部３０ｃと、その脚部３０ｃから外側に折り曲げられた円環状の固定部３０ｂと、その固定部３０ｂから下方へ折り曲げられた円筒部３０ｅとから構成されている。固定部３０ｂの両側部には、台座２２の載置部２２ｃ上の第２ネジ孔２７に択一的に合致可能な一対の第２ネジ挿通孔３２が形成されている。
【００４４】
そして、回転支持台３０の固定部３０ｂ上の第２ネジ挿通孔３２が台座２２の載置部２２ｃ上の所要の第２ネジ孔２７に合致された状態で、ネジ挿通孔３２を介して蝶ネジ３８が第２ネジ孔２７に螺合される。このため、回転支持台３０が台座２２に対して載置部２２ｃ上における第２ネジ孔２７の配列角度ピッチに相当する細かい角度間隔で位置調節可能に固定される。なお、この実施形態においては、回転支持台３０の上下位置を決めるための台座２２のネジ孔２６及び蝶ネジ３５が設けられおらず、前記蝶ネジ３８には台座２２と回転支持台３０との間に位置するスペーサ５９が装着される。従って、スペーサ５９として、その厚さが異なるものと交換すれば、回転支持台３０の上下位置を調節できる。
【００４５】
従って、この第３実施形態によれば、前記第１実施形態に記載の効果に加えて、以下のような効果を得ることができる。
（９）  この中継装置においては、台座２２及び回転支持台３０が円環状に形成され、台座２２の載置部２２ｃに多数の第２ネジ孔２７が同一円周上で所定角度間隔おきに形成されている。このため、回転支持台３０を台座２２に対して細かい角度間隔で位置調節することができる。
【００４６】
（第４実施形態）
次に、この発明を具体化した中継装置の第４実施形態を説明する。
この第４実施形態においては、図９に示すように、台座２２が長四角形の板金を折り曲げるとともに、載置部２２ｃの中央に透孔２４を形成して構成されている。従って、第１ネジ孔２６を有する脚部２２ｂは２箇所に形成される。
【００４７】
このため、この実施形態においては、回転支持台３０の第１ネジ挿通孔３１と、台座２２の第１ネジ孔２６とを通る蝶ネジ３５による回転支持台３０の高さ調節は２箇所で行なわれる。
【００４８】
そして、この実施形態によれば、以下の効果がある。
（１０）  この中継装置においては、台座２２が単純形状である長四角形の板金によって構成されているため、製造コストを抑制できる。
【００４９】
（第５実施形態）
次に、この発明を具体化した中継装置の第５実施形態を説明する。
この第５実施形態においては、図１０に示すように、回転支持台３０の配管通過部４１が２つの円の一部を重ねた形状に形成されている。
【００５０】
この第４実施形態においても、前記第１実施形態に記載の効果とほぼ同様な効果を得ることができる。
（第６実施形態）
次に、この発明を具体化した中継装置の第６実施形態を説明する。
【００５１】
この第６実施形態においては、図１１に示すように、回転支持台３０の配管通過部４１が円形をなすとともに、円形の領域に沿って所定角度間隔おきに複数形成されている。
従って、この第６実施形態においても、前記第１実施形態に記載の効果とほぼ同様な効果を得ることができる。
【００５２】
（第７実施形態）
次に、この発明を具体化した中継装置の第７実施形態を説明する。
この第７実施形態においては、図１２に示すように、１つの大径円形状の配管通過部４１が回転支持台３０の支持部３０ｄの中心部に形成されている。
【００５３】
従って、この第７実施形態によれば、以下の効果を得ることができる。
（１１）  この中継装置によれば、配管通過部４１を１箇所に設ければよいため、製造コストを低減できる。
【００５４】
（第８実施形態）
次に、この発明を具体化した中継装置の第８実施形態を説明する。
この第８実施形態においては、図１３及び図１４に示すように、台座２２の展開形状が四角形となるように板金によって構成されている。載置部２２ｃに透孔２４が打ち抜き形成されている。そして、図１４に示すように、板材６０の四隅部を第１折曲線６０ａに沿って谷折りすることにより、三角形状の固定部２２ａが形成されている。また、板材６０の四隅部を第１折曲線６０ａから所定間隔をおいた第２折曲線６０ｂに沿って山折りすることにより、台形状の脚部２２ｂが形成されている。その結果、残りの部分に正八角形状の載置部２２ｃが形成される。
【００５５】
従って、この第８実施形態によれば、以下のような効果を得ることができる。
（１２）  この中継装置においては、前記台座２２が板金よりなり、その展開形状が四角形となるように構成されている。このため、台座２２の打ち抜きや折り曲げ加工を簡単に行なうことができて、製造コストを低減できる。
【００５６】
（第９実施形態）
次に、この発明を具体化した中継装置の第９実施形態を説明する。
この第９実施形態においては、図１５及び図１６に示すように、支持台２０として、台座２２と回転支持台３０との２部材を用いた前記各実施形態の構成とは異なり、支持台２０がひとつの部材によって構成されている。この支持台２０は、支持部３０ｄを有するとともに、その外周縁に脚部２２ｂを有し、脚部２２ｂの下端には固定部２２ａを有するとともに、固定部２２ａにはボルト挿通孔２５が形成されている。そして、支持台２０は、設置面２１上のボルト２８に固定部２２ａのボルト挿通孔２５において固定される。このため、接続部３９の指向方向を変更する場合は、ボルト挿通孔２５とボルト２８との関係を入れ換えることにより、支持台の２０の向きを変更する。
【００５７】
従って、この第９実施形態においては、以下の効果を得ることができる。
（１３）  この中継装置においては、支持台２０が台座２２及び回転支持台３０の機能を兼ねるひとつの部材によって構成されているため、部品点数が少なくなり、構成が簡単になる。
【００５８】
（変更例）
なお、この実施形態は、次のように変更して具体化することも可能である。
・  前記各実施形態の構成を適宜に組み合わせること。例えば、前記第３実施形態において、第２実施形態と同様に、回転支持台３０の回転中心を設定する支持軸５３を設けること。
【００５９】
・  前記第１〜第８実施形態において、台座２２の第２ネジ孔２７，回転支持台３０の第２ネジ挿通孔３２，蝶ネジ３８などを省略すること。
・  前記第１〜第８実施形態において、蝶ネジ３８を単純なピンに変更すること。すなわち、台座２２及び回転支持台３０の一方にピンを他方にそのピンが挿入される孔を設けること。
【００６０】
・  台座２２，回転支持台３０及び第９実施形態における支持台２０の平面形状を三角形，五角形，六角形，楕円形などの形状に適宜に変更すること。
【符号の説明】
【００６１】
２０…支持台、２１…設置面、２２…台座、２２ａ…固定部、２２ｂ…脚部、２２ｃ…載置部、２８…ボルト、２９…ナット、３０…回転支持台、３０ａ…位置決め部、３０ｂ…固定部、３０ｃ…脚部、３０ｄ…支持部、３５…蝶ネジ、３８…蝶ネジ、３９…接続部、３９ａ…コンセント、３９ｂ…コネクタ、４１…通過部、４２…床下配管、４５…床下配線、４６…床板、５１…床上配管、５３…支持軸、６１…床上配線、Ｌ…軸線。
【図１】
2011231494.tif 000003
【図２】
2011231494.tif 000004
【図３】
2011231494.tif 000005
【図４】
2011231494.tif 000006
【図５】
2011231494.tif 000007
【図６】
2011231494.tif 000008
【図７】
2011231494.tif 000009
【図８】
2011231494.tif 000010
【図９】
2011231494.tif 000011
【図１０】
2011231494.tif 000012
【図１１】
2011231494.tif 000013
【図１２】
2011231494.tif 000014
【図１３】
2011231494.tif 000015
【図１４】
2011231494.tif 000016
【図１５】
2011231494.tif 000017
【図１６】
2011231494.tif 000018